【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
表示装置に、複数のコンテンツを提示するコンテンツ提示装置において、
前記コンテンツを、前記コンテンツが属するカテゴリーに関連づけて記憶するコンテンツ記憶手段と、
前記コンテンツ記憶手段で記憶された前記コンテンツを、前記カテゴリーごとに分類し、前記コンテンツを識別する前記コンテンツの識別子を、前記表示装置に連ねて提示する提示手段
とを備えることを特徴とするコンテンツ提示装置。
【請求項２】
請求項１に記載のコンテンツ提示装置において、前記コンテンツの識別子により、コンテンツの属性を示していることを特徴とする請求項１に記載のコンテンツ提示装置。
【請求項３】
請求項１又は２に記載のコンテンツ提示装置において、
前記コンテンツのサイズを前記コンテンツの認識を通じて取得するサイズ取得手段を更に備え、
前記提示手段は、前記サイズ取得手段で取得された前記コンテンツのサイズを文字、数字、記号、図形のいずれか一つ以上で示し、前記コンテンツの識別子に関連づけて提示する
ことを特徴とするコンテンツ提示装置。
【請求項４】
請求項１乃至３のいずれか１項に記載のコンテンツ提示装置において、
前記コンテンツに対応したサムネイルを取得するサムネイル取得手段を更に備え、
前記提示手段において提示される前記コンテンツの識別子は、前記サムネイル取得手段において取得されたサムネイルのうちの、前記コンテンツを代表するサムネイルである  ことを特徴とするコンテンツ提示装置。
【請求項５】
請求項１乃至４のいずれか１項に記載のコンテンツ提示装置において、
前記コンテンツ提示装置のユーザに前記コンテンツの識別子を前記提示手段で提示することによって選択させることにより、前記コンテンツの操作を行わせる操作手段と、
前記操作手段において、前記コンテンツの識別子が選択されると、前記サムネイル取得手段によって取得された前記コンテンツのサムネイルが、前記サムネイルの一部を重ねて再生順に連ねられたサムネイル群を、前記表示装置に提示するサムネイル群提示手段を更に備え、
前記サムネイル群を構成する前記サムネイルの配置により、コンテンツの属性を示している
ことを特徴とするコンテンツ提示装置。
【請求項６】
請求項５に記載のコンテンツ提示装置において、
前記操作手段において、前記サムネイル群提示手段で提示された前記サムネイル群のうちの一つが前記ユーザによって選択された場合、選択された前記サムネイルを、前記表示装置において、前記表示装置の閲覧者に対して最も手前の面に表示する
ことを特徴とするコンテンツ提示装置。
【請求項７】
請求項１乃至６のいずれか１項に記載のコンテンツ提示装置において、
前記コンテンツを、前記コンテンツが属するカテゴリーに関連づけて取得するコンテンツ取得手段を更に備え、
前記提示手段は、更に現在取得されている前記コンテンツを動画として提示し、前記コンテンツ記憶手段で既に記憶された前記コンテンツの識別子と、前記コンテンツ取得手段で取得されている前記コンテンツの識別子とを、前記表示装置に設けられた仮想の軸上に、前記カテゴリーごとに時系列に連ねて提示する
ことを特徴とするコンテンツ提示装置。
【請求項８】
請求項１乃至７のいずれか１項に記載のコンテンツ提示装置において、
前記コンテンツが取得されるスケジュールを、前記コンテンツが属するカテゴリーに関連づけて取得するスケジュール取得手段を更に備え、
前記提示手段は、前記コンテンツ取得手段で取得されている前記コンテンツの識別子と、前記スケジュール取得手段で入力されたスケジュールに記録されたコンテンツの識別子とを、前記表示装置に設けられた仮想の軸上に前記カテゴリーごとに時系列に連ねて提示する
ことを特徴とするコンテンツ提示装置。
【請求項９】
請求項１乃至６のいずれか１項に記載のコンテンツ提示装置において、
前記コンテンツを、前記コンテンツが属するカテゴリーに関連づけて取得するコンテンツ取得手段と、
前記コンテンツが取得されるスケジュールを、前記コンテンツが属するカテゴリーに関連づけて取得するスケジュール取得手段とを更に備え、
前記提示手段は、前記コンテンツ記憶手段で記憶された前記コンテンツの識別子と、前記コンテンツ取得手段で取得された前記コンテンツの識別子とを、前記表示装置に設けられた仮想の軸に、前記カテゴリーごとに時系列に連ねて提示し、
更に、前記コンテンツ記憶手段で記憶された前記コンテンツの識別子と、前記スケジュール取得手段で取得されたスケジュールに記録されたコンテンツの識別子とを、前記表示装置に設けられた前記仮想の軸とは異なる仮想の軸上に前記カテゴリーごとに時系列に連ねて提示する
ことを特徴とするコンテンツ提示装置。
【請求項１０】
コンテンツ記憶手段と提示手段を備えたコンテンツ提示装置を用いて、表示装置に、複数のコンテンツを提示するコンテンツ提示方法において、
前記コンテンツ記憶手段によって、前記コンテンツを、前記コンテンツが属するカテゴリーに関連づけて記憶するコンテンツ記憶ステップと、
前記提示手段によって、前記コンテンツ記憶ステップで記憶された前記コンテンツを、前記カテゴリーごとに分類し、前記コンテンツを識別する前記コンテンツの識別子を、前記表示装置に連ねて提示する提示ステップ
とを備えることを特徴とするコンテンツ提示方法。
【請求項１１】
表示装置に、複数のコンテンツの表示をコンピュータに実行させるコンテンツ提示プログラムにおいて、
前記コンテンツを、前記コンテンツが属するカテゴリーに関連づけて記憶するコンテンツ記憶ステップと、
前記コンテンツ記憶ステップで記憶された前記コンテンツを、前記カテゴリーごとに分類し、前記表示装置に前記コンテンツの識別子を連ねて提示する提示ステップと
を前記コンピュータに実行させることを特徴とするコンテンツ提示プログラム。
【請求項１２】
所定のコンテンツを取得するコンテンツ取得手段と、
前記コンテンツ取得手段で取得された前記コンテンツから、前記コンテンツの再生開始を基準とする相対的な時刻である再生時刻と関連づけて複数のサムネイルを取得するサムネイル取得手段と、
前記サムネイルの一部を重ね、前記サムネイルの再生時刻の順序に連ねたサムネイル群を、表示装置に提示するサムネイル群提示手段と
を備えることを特徴とするコンテンツ提示装置。
【請求項１３】
請求項１２に記載のコンテンツ提示装置において、
前記サムネイル群提示手段で提示された前記サムネイル群のうち、いずれか一つのサムネイルを選択すると、選択された前記サムネイルをフォーカス表示し、前記サムネイルに対して前記コンテンツ提示装置のユーザが操作を行うことができるようにさせるサムネイル操作手段
を更に備えることを特徴とするコンテンツ提示装置。
【請求項１４】
請求項１２又は１３に記載のコンテンツ提示装置において、
前記コンテンツのシーンの変化量を算出するシーン変化量算出手段を更に備え、
前記サムネイル取得手段は、前記シーン変化量算出手段で算出された前記シーンの変化量を参照して、前記シーンの変化量の少ないシーンに比べて、前記シーン変化量の多いシーンについて多くの前記サムネイルを取得する
ことを特徴とするコンテンツ提示装置。
【請求項１５】
コンテンツ取得手段とサムネイル取得手段とサムネイル群提示手段とを備えたコンテンツ提示装置を用いたコンテンツ提示方法であって、
前記コンテンツ取得手段によって、所定のコンテンツを取得するコンテンツ取得ステップと、
前記コンテンツ取得ステップで取得された前記コンテンツから、前記サムネイル取得手段によって、前記コンテンツの再生開始を基準とする相対的な時刻である再生時刻と関連づけて複数のサムネイルを取得するサムネイル取得ステップと、
前記サムネイルの一部を重ね、前記サムネイルの再生時刻の順序に連ねたサムネイル群を、前記サムネイル群提示手段によって、表示装置に提示するサムネイル群提示ステップと
を備えることを特徴とするコンテンツ提示方法。
【手続補正２】
【補正対象書類名】明細書
【補正対象項目名】０００９
【補正方法】変更
【補正の内容】
【０００９】
【課題を解決するための手段】
上記課題を解決するために、請求項１に係るコンテンツ提示装置は、表示装置に、複数のコンテンツを提示するコンテンツ提示装置において、コンテンツを、コンテンツが属するカテゴリーに関連づけて記憶するコンテンツ記憶手段と、コンテンツ記憶手段で記憶されたコンテンツを、カテゴリーごとに分類し、コンテンツを識別するコンテンツの識別子を、表示装置内に連ねて提示する提示手段とを備える。
【手続補正３】
【補正対象書類名】明細書
【補正対象項目名】００１８
【補正方法】変更
【補正の内容】
【００１８】
請求項５に係る発明のコンテンツ提示装置において、請求項１乃至４のいずれか１項に記載のコンテンツ提示装置において、コンテンツ提示装置のユーザにコンテンツの識別子を提示手段で提示することによって選択させることにより、コンテンツの操作を行わせる操作手段と、操作手段において、コンテンツの識別子が選択されると、サムネイル取得手段によって取得されたコンテンツのサムネイルが、サムネイルの一部を重ねて再生順に連ねられたサムネイル群を、表示装置に提示するサムネイル群提示手段を更に備え、サムネイル群を構成するサムネイルの配置により、コンテンツの属性を示していることが好ましい。
【手続補正４】
【補正対象書類名】明細書
【補正対象項目名】００１９
【補正方法】変更
【補正の内容】
【００１９】
請求項５に係る発明によれば、わかりやすいユーザインタフェースを介してコンテンツを操作することができる。更に請求項５に係る発明によれば、選択されたコンテンツを複数のサムネイルで連ねて表示する。従って、シーンの選択や判別を容易に行うことができる。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
請求項６に係る発明のコンテンツ提示装置において、請求項６に記載のコンテンツ提示装置において、操作手段において、サムネイル群提示手段で提示されたサムネイル群のうちの一つがユーザによって選択された場合、選択されたサムネイルを、表示装置において、表示装置の閲覧者に対して最も手前の面に表示するのが好ましい。
【手続補正８】
【補正対象書類名】明細書
【補正対象項目名】００２３
【補正方法】変更
【補正の内容】
【００２３】
請求項６に係る発明によれば、選択されたサムネイルを最上面に表示することにより、フォーカス表示を行うことができる。
【手続補正９】
【補正対象書類名】明細書
【補正対象項目名】００２４
【補正方法】変更
【補正の内容】
【００２４】
請求項７に係る発明のコンテンツ提示装置において、請求項１乃至６のいずれか１項に記載のコンテンツ提示装置において、コンテンツを、コンテンツが属するカテゴリーに関連づけて取得するコンテンツ取得手段を更に備え、提示手段は、更に現在取得されているコンテンツを動画として提示し、コンテンツ記憶手段で既に記憶されたコンテンツの識別子と、コンテンツ取得手段で取得されているコンテンツの識別子とを、表示装置に設けられた仮想の軸上に、カテゴリーごとに時系列に連ねて提示することが好ましい。
【手続補正１０】
【補正対象書類名】明細書
【補正対象項目名】００２５
【補正方法】変更
【補正の内容】
【００２５】
請求項７に係る発明によれば、現在受信中のコンテンツを、随時確認することができ、更に、表示するコンテンツやチャンネルを選択しやすい。更に請求項７に係る発明によれば、時系列に並べることにより、コンテンツの放送時期、保存時期がわかりやすくなる。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】変更
【補正の内容】
【００２８】
請求項８に係る発明のコンテンツ提示装置において、請求項１乃至７のいずれか１項に記載のコンテンツ提示装置において、コンテンツが取得されるスケジュールを、コンテンツが属するカテゴリーに関連づけて取得するスケジュール取得手段を更に備え、提示手段は、コンテンツ取得手段で取得されているコンテンツの識別子と、スケジュール取得手段で入力されたスケジュールに記録されたコンテンツの識別子とを、表示装置に設けられた仮想の軸上にカテゴリーごとに時系列に連ねて提示することが好ましい。更に請求項８に係る発明において、既に保存したコンテンツから現在受信中のコンテンツ、将来放送されるコンテンツを、複数のルールに従って表示できるので、どのルールに従って表示するか、ユーザが選択できるようにしても良い。
【手続補正１４】
【補正対象書類名】明細書
【補正対象項目名】００２９
【補正方法】変更
【補正の内容】
【００２９】
請求項８に係る発明によれば、更に未来のスケジュールについても表示されるので、コンテンツを鑑賞する予定を立てることができる。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】変更
【補正の内容】
【００３１】
請求項９に係る発明のコンテンツ提示装置において、請求項１乃至６のいずれか１項に記載のコンテンツ提示装置において、コンテンツを、コンテンツが属するカテゴリーに関連づけて取得するコンテンツ取得手段と、コンテンツが取得されるスケジュールを、コンテンツが属するカテゴリーに関連づけて取得するスケジュール取得手段とを更に備え、提示手段は、コンテンツ記憶手段で記憶されたコンテンツの識別子と、コンテンツ取得手段で取得されたコンテンツの識別子とを、表示装置に設けられた仮想の軸上に、カテゴリーごとに時系列に連ねて提示し、更に、コンテンツ記憶手段で記憶されたコンテンツの識別子と、スケジュール取得手段で取得されたスケジュールに記録されたコンテンツの識別子とを、表示装置に設けられた仮想の軸とは異なる仮想の軸上にカテゴリーごとに時系列に連ねて提示するのが好ましい。
【手続補正１７】
【補正対象書類名】明細書
【補正対象項目名】００３３
【補正方法】変更
【補正の内容】
【００３３】
請求項９に係る発明において、既に保存したコンテンツから現在受信中のコンテンツ、将来放送されるコンテンツを、複数のルールに従って表示できるので、どのルールに従って表示するか、ユーザが選択できるようにしても良い。
【手続補正１８】
【補正対象書類名】明細書
【補正対象項目名】００３４
【補正方法】変更
【補正の内容】
【００３４】
請求項１０に係るコンテンツ提示方法は、コンテンツ記憶手段と提示手段を備えたコンテンツ提示装置を用いて、表示装置に、複数のコンテンツを提示するコンテンツ提示方法において、コンテンツ記憶手段によって、コンテンツを、コンテンツが属するカテゴリーに関連づけて記憶するコンテンツ記憶ステップと、提示手段によって、コンテンツ記憶ステップで記憶されたコンテンツを、カテゴリーごとに分類し、コンテンツを識別するコンテンツの識別子を、表示装置に連ねて提示する提示ステップとを備える。
【手続補正１９】
【補正対象書類名】明細書
【補正対象項目名】００３５
【補正方法】削除
【補正の内容】
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】変更
【補正の内容】
【００４１】
請求項１１に係るコンテンツ提示プログラムは、表示装置に、複数のコンテンツの表示をコンピュータに実行させるコンテンツ提示プログラムにおいて、コンテンツを、コンテンツが属するカテゴリーに関連づけて記憶するコンテンツ記憶ステップと、コンテンツ記憶ステップで記憶されたコンテンツを、カテゴリーごとに分類し、表示装置にコンテンツの識別子を連ねて提示する提示ステップとをコンピュータに実行させる。
【手続補正２６】
【補正対象書類名】明細書
【補正対象項目名】００４２
【補正方法】削除
【補正の内容】
【手続補正２７】
【補正対象書類名】明細書
【補正対象項目名】００４３
【補正方法】削除
【補正の内容】
【手続補正２８】
【補正対象書類名】明細書
【補正対象項目名】００４４
【補正方法】削除
【補正の内容】
【手続補正２９】
【補正対象書類名】明細書
【補正対象項目名】００４５
【補正方法】削除
【補正の内容】
【手続補正３０】
【補正対象書類名】明細書
【補正対象項目名】００４６
【補正方法】削除
【補正の内容】
【手続補正３１】
【補正対象書類名】明細書
【補正対象項目名】００４７
【補正方法】削除
【補正の内容】
【手続補正３２】
【補正対象書類名】明細書
【補正対象項目名】００４８
【補正方法】変更
【補正の内容】
【００４８】
請求項１２に係るコンテンツ提示装置は、所定のコンテンツを取得するコンテンツ取得手段と、コンテンツ取得手段で取得されたコンテンツから、コンテンツの再生開始を基準とする相対的な時刻である再生時刻と関連づけて複数のサムネイルを取得するサムネイル取得手段と、サムネイルの一部を重ね、サムネイルの再生時刻の順序に連ねたサムネイル群を、表示装置に提示するサムネイル群提示手段とを備える。
【手続補正３３】
【補正対象書類名】明細書
【補正対象項目名】００４９
【補正方法】変更
【補正の内容】
【００４９】
請求項１２に係るコンテンツ提示装置によれば、コンテンツの再生時間順にサムネイルを表示するので、コンテンツにおけるサムネイルの位置関係を、ユーザは容易に把握することができる。
【手続補正３４】
【補正対象書類名】明細書
【補正対象項目名】００５０
【補正方法】変更
【補正の内容】
【００５０】
請求項１３に係る発明のコンテンツ提示装置において、請求項１２に記載のコンテンツ提示装置において、サムネイル群提示手段で提示されたサムネイル群のうち、いずれか一つのサムネイルを選択すると、選択されたサムネイルをフォーカス表示し、サムネイルに対してコンテンツ提示装置のユーザが操作を行うことができるようにさせるサムネイル操作手段を更に備えるのが好ましい。
【手続補正３５】
【補正対象書類名】明細書
【補正対象項目名】００５２
【補正方法】変更
【補正の内容】
【００５２】
このような請求項１３に係るコンテンツ提示装置によれば、選択されたサムネイルがわかりやすいので、コンテンツの編集等を円滑に行うことができる。
【手続補正３６】
【補正対象書類名】明細書
【補正対象項目名】００５３
【補正方法】変更
【補正の内容】
【００５３】
請求項１４に係る発明のコンテンツ提示装置において、請求項１２又は１３に記載のコンテンツ提示装置において、コンテンツのシーンの変化量を算出するシーン変化量算出手段を更に備え、サムネイル取得手段は、シーン変化量算出手段で算出されたシーンの変化量を参照して、シーンの変化量の少ないシーンに比べて、シーン変化量の多いシーンについて多くのサムネイルを取得するのが好ましい。
【手続補正３７】
【補正対象書類名】明細書
【補正対象項目名】００５４
【補正方法】変更
【補正の内容】
【００５４】
このような請求項１４に係るコンテンツ提示装置によれば、シーンの変化量に応じてサムネイルを取得する頻度を変更することができるので、ユーザは、サムネイルを参照することにより、効率的にコンテンツを把握することができる。
【手続補正３８】
【補正対象書類名】明細書
【補正対象項目名】００５５
【補正方法】変更
【補正の内容】
【００５５】
ここで、請求項１２乃至１４のいずれか１項に記載のコンテンツ提示装置において、サムネイル群提示手段は、仮想空間内において、コンテンツの所定の再生時間の中の一定の長さを求め、サムネイル群を構成するサムネイルの一定の長さのうちの再生時刻にそれぞれ対応した位置に提示するのが好ましい。
【手続補正３９】
【補正対象書類名】明細書
【補正対象項目名】００５６
【補正方法】変更
【補正の内容】
【００５６】
このようなコンテンツ提示装置によれば、ユーザはサムネイルが配置されている奥行きを参照することにより、コンテンツの再生時間を容易に把握することができる。
【手続補正４０】
【補正対象書類名】明細書
【補正対象項目名】００５７
【補正方法】変更
【補正の内容】
【００５７】
請求項１５に係るコンテンツ提示方法は、コンテンツ取得手段とサムネイル取得手段とサムネイル群提示手段とを備えたコンテンツ提示装置を用いたコンテンツ提示方法であって、コンテンツ取得手段によって、所定のコンテンツを取得するコンテンツ取得ステップと、コンテンツ取得ステップで取得されたコンテンツから、サムネイル取得手段によって、コンテンツの再生開始を基準とする相対的な時刻である再生時刻と関連づけて複数のサムネイルを取得するサムネイル取得ステップと、サムネイルの一部を重ね、サムネイルの再生時刻の順序に連ねたサムネイル群を、サムネイル群提示手段によって表示装置に提示するサムネイル群提示ステップとを備える。
【手続補正４１】
【補正対象書類名】明細書
【補正対象項目名】００５８
【補正方法】削除
【補正の内容】
【手続補正４２】
【補正対象書類名】明細書
【補正対象項目名】００５９
【補正方法】削除
【補正の内容】
【手続補正４３】
【補正対象書類名】明細書
【補正対象項目名】００６０
【補正方法】削除
【補正の内容】